(57)【要約】  【課題】  ホワイトバランスゲインが安定するまでの時間を短縮することができ、ホワイトバランスゲインの制御を高速化することのできる映像信号処理装置を提供する。  【解決手段】  映像信号処理装置１は、ホワイトバランス調整部１０へ出力するホワイトバランスゲインを、撮像素子２の入射光量に基づいて算出されるゲイン目標値へ近づけていくように制御するゲイン制御部９と、撮像素子２のシャッター時間の変化を検出するシャッター時間変化検出部３と、撮像素子２のシャッター時間に応じた所定の仮ゲイン目標値を記憶する記憶部８とを備える。ゲイン制御部９は、シャッター時間変化検出部３によりシャッター時間の変化が検出された場合には、仮ゲイン目標値をホワイトバランスゲインに設定し、仮ゲイン目標値からゲイン目標値へ近づけていくようにホワイトバランスゲインを制御する。【選択図】  図１
2007020020.tif 000002
【特許請求の範囲】
【請求項１】
ホワイトバランスゲインを、撮像手段への入射光量に基づいて算出されるゲイン目標値へ近づけていくように制御するゲイン制御手段と、
前記撮像手段への入射光量の変化幅が所定のしきい光量変化よりも大きい場合に、前記入射光量の所定幅変化を検出する検出手段と、
前記撮像手段への入射光量に応じた所定の仮ゲイン目標値を記憶する記憶手段と、
を備え、
前記ゲイン制御手段は、前記検出手段により前記入射光量の所定幅変化が検出された場合には、前記仮ゲイン目標値を前記ホワイトバランスゲインに設定し、前記仮ゲイン目標値から前記ゲイン目標値へ近づけていくように前記ホワイトバランスゲインを制御することを特徴とする映像信号処理装置。
【請求項２】
前記仮ゲイン目標値は、前記撮像手段のシャッター時間に応じて設定されていることを特徴とする請求項１に記載の映像信号処理装置。
【請求項３】
前記検出手段は、前記撮像手段のシャッター時間の変化を検出するシャッター時間変化検出手段を備えており、
前記ゲイン制御手段は、前記シャッター時間変化検出手段により前記シャッター時間の変化が検出された場合には、前記仮ゲイン目標値を前記ホワイトバランスゲインに設定し、前記仮ゲイン目標値から前記ゲイン目標値へ近づけていくように前記ホワイトバランスゲインを制御することを特徴とする請求項２に記載の映像信号処理装置。
【請求項４】
前記検出手段は、さらに、前記撮像手段から得られる映像信号の輝度レベルの変化幅が所定のしきい輝度レベル変化よりも大きい場合に、前記輝度レベルの所定幅変化を検出する輝度レベル検出手段を備えており、
前記ゲイン制御手段は、前記シャッター時間変化検出手段により前記シャッター時間の変化が検出され、前記輝度レベル検出手段により前記輝度レベルの所定幅変化が検出された場合には、前記仮ゲイン目標値を前記ホワイトバランスゲインに設定し、前記仮ゲイン目標値から前記ゲイン目標値へ近づけていくように前記ホワイトバランスゲインを制御することを特徴とする請求項３に記載の映像信号処理装置。
【請求項５】
前記検出手段は、前記輝度レベルの変化幅が所定のしきい輝度レベル変化よりも大きい場合に、前記撮像手段から得られる映像信号の輝度レベルの所定幅変化を検出する輝度レベル検出手段を備えており、
前記ゲイン制御手段は、前記輝度レベル検出手段により前記輝度レベルの所定幅変化が検出された場合には、前記仮ゲイン目標値を前記ホワイトバランスゲインに設定し、前記仮ゲイン目標値から前記ゲイン目標値へ近づけていくように前記ホワイトバランスゲインを制御することを特徴とする請求項２に記載の映像信号処理装置。
【請求項６】
前記映像信号から所定の白領域に含まれる映像信号を検出し、前記白領域の映像信号に対して所定の重み付け処理をする白領域検出手段を備え、
前記ゲイン制御手段は、前記重み付け処理された映像信号に基づいて前記ゲイン目標値を算出することを特徴とする請求項１ないし請求項５のいずれかに記載の映像信号処理装置。
【請求項７】
前記映像信号に最も多く含まれる色の割合を検出する最多色割合検出手段を備え、
前記ゲイン制御手段は、前記最多色割合検出手段により検出された最多色の割合が所定の割合以上の場合には、前記ゲイン目標値に所定の制限を加えることを特徴とする請求項１ないし請求項６のいずれかに記載の映像信号処理装置。
【発明の詳細な説明】
【技術分野】
【０００１】
本発明は、デジタルカメラ等に用いられる映像信号処理装置に関するものである。
【背景技術】
【０００２】
デジタルカメラによる撮影は、種々の照明条件のもとで行われる。したがって、デジタルカメラでは、いろいろな光源の色温度や明るさに応じてホワイトバランスの調整を行う必要がある。このホワイトバランスの調整は、撮像素子から得られた映像信号にホワイトバランスゲインを乗算することによって行われる。そして、従来、映像信号から分離された色信号を加算することにより、ホワイトバランスゲインを算出するホワイトバランスゲイン制御装置が知られている（例えば特許文献１参照）。
【０００３】
ところで、ホワイトバランス制御装置では、上記のようにして算出したホワイトバランスゲインをゲイン目標値に設定し、ホワイトバランスの調整に用いるホワイトバランスゲインを上記のゲイン目標値へ一定の変化割合で近づけていく制御が行われている。
【特許文献１】特開平５−８３７２７号公報（第２頁、図３）
【発明の開示】
【発明が解決しようとする課題】
【０００４】
しかしながら、上記のホワイトバランス制御装置においては、光源の色温度や明るさが大きく変化した場合、例えば、晴天時の屋外から白熱電球照明の室内へ急に移動した場合には、その移動の直後、光源の色温度の違いからホワイトバランスのゲイン目標値が異なる。そのため、ホワイトバランスゲインをゲイン目標値に一定の変化割合で近づけていくと、ホワイトバランスゲインがゲイン目標値に到達するまでに時間がかかるという問題があった。したがって、上記のホワイトバランス制御装置では、ホワイトバランスゲインが安定するまでに時間がかかり、ホワイトバランスの制御を高速化することが困難であるという問題があった。
【０００５】
本発明は、上記従来の問題を解決するためになされたもので、ホワイトバランスゲインの制御を高速化することのできる映像信号処理装置を提供することを目的とする。
【課題を解決するための手段】
【０００６】
本発明の映像信号処理装置は、ホワイトバランスゲインを、撮像手段への入射光量に基づいて算出されるゲイン目標値へ近づけていくように制御するゲイン制御手段と、前記撮像手段への入射光量の変化幅が所定のしきい光量変化よりも大きい場合に、前記入射光量の所定幅変化を検出する検出手段と、前記撮像手段への入射光量に応じた所定の仮ゲイン目標値を記憶する記憶手段とを備え、前記ゲイン制御手段は、前記検出手段により前記入射光量の所定幅変化が検出された場合には、前記仮ゲイン目標値を前記ホワイトバランスゲインに設定し、前記仮ゲイン目標値から前記ゲイン目標値へ近づけていくように前記ホワイトバランスゲインを制御する構成を有している。
【０００７】
この構成により、光源の色温度や明るさが大きく変化して、撮像手段への入射光量の変化幅が所定のしきい光量変化より大きくなった場合には、検出手段により入射光量の所定幅変化が検出される。その場合には、ゲイン制御手段により仮ゲイン目標値がホワイトバランスゲインに設定される。この仮ゲイン目標値は、撮像手段への入射光量に応じて設定されているので、撮像手段への入射光量に基づいて算出されるゲイン目標値とのずれが小さい。したがって、光源の色温度や明るさが大きく変化して、ホワイトバランスゲインとゲイン目標値とのずれが大きい場合であっても、ゲイン制御手段によりホワイトバランスゲインを仮ゲイン目標値からゲイン目標値へ近づけていく制御が行われるので、ホワイトバランスゲインがゲイン目標値に到達するまでの時間を短縮することができる。
【０００８】
また、本発明の映像信号処理装置では、前記仮ゲイン目標値は、前記撮像手段のシャッター時間に応じて設定されている。
【０００９】
この構成により、仮ゲイン目標値は、シャッター時間に応じて設定される。例えば、撮像手段のシャッター時間が短くなった場合には、被写体が屋外にあると想定して仮ゲイン目標値は高い色温度に対応するゲイン値に設定される。一方、撮像手段のシャッター時間が長くなった場合には、被写体が屋内にあると想定して仮ゲイン目標値は低い色温度に対応するゲイン値に設定される。これにより、シャッター時間に応じて設定される仮ゲイン目標値と、入射光量に基づいて算出されるゲイン目標値とのずれを小さくすることができる。
【００１０】
また、本発明の映像信号処理装置では、前記検出手段は、前記撮像手段のシャッター時間の変化を検出するシャッター時間変化検出手段を備えており、前記ゲイン制御手段は、前記シャッター時間変化検出手段により前記シャッター時間の変化が検出された場合には、前記仮ゲイン目標値を前記ホワイトバランスゲインに設定し、前記仮ゲイン目標値から前記ゲイン目標値へ近づけていくように前記ホワイトバランスゲインを制御する。
【００１１】
この構成により、光源の色温度や明るさが大きく変化して、撮像手段のシャッター時間が変化した場合には、そのシャッター時間の変化がシャッター時間変化検出手段により検出される。この場合、仮ゲイン目標値は、シャッター時間に応じて設定されているので、シャッター時間に応じて設定される仮ゲイン目標値と、入射光量に基づいて算出されるゲイン目標値とのずれを小さくすることができる。このように、光源の色温度や明るさが大きく変化した場合であっても、シャッター時間変化検出手段がシャッター時間の変化を検出し、前記ゲイン制御手段がシャッター時間に応じた仮ゲイン目標値からゲイン目標値へ近づけていくようにホワイトバランスゲインの制御を行うことにより、ホワイトバランスゲインがゲイン目標値に到達するまでの時間を短縮することができる。
【００１２】
また、本発明の映像信号処理装置では、前記検出手段は、さらに、前記撮像手段から得られる映像信号の輝度レベルの変化幅が所定のしきい輝度レベル変化よりも大きい場合に、前記輝度レベルの所定幅変化を検出する輝度レベル検出手段を備えており、前記ゲイン制御手段は、前記シャッター時間変化検出手段により前記シャッター時間の変化が検出され、前記輝度レベル検出手段により前記輝度レベルの所定幅変化が検出された場合には、前記ゲイン制御手段が前記仮ゲイン目標値を前記ホワイトバランスゲインに設定し、前記仮ゲイン目標値から前記ゲイン目標値へ近づけていくように前記ホワイトバランスゲインを制御する。
【００１３】
この構成により、光源の色温度や明るさが大きく変化して、撮像手段から得られる映像信号の輝度レベルの変化幅が所定のしきい輝度レベル変化よりも大きくなった場合には、シャッター時間変化検出手段によりシャッター時間の変化が検出され、輝度レベル検出手段により輝度レベルの所定幅変化が検出される。この場合にも、仮ゲイン目標値は、シャッター時間に応じて設定されているので、シャッター時間に応じて設定される仮ゲイン目標値と、入射光量に基づいて算出されるゲイン目標値とのずれを小さくすることができる。このように、光源の色温度や明るさが大きく変化した場合であっても、シャッター時間変化検出手段がシャッター時間の変化を検出し、輝度レベル検出手段が輝度レベルの所定幅変化を検出して、前記ゲイン制御手段がシャッター時間に応じた仮ゲイン目標値からゲイン目標値へ近づけていくようにホワイトバランスゲインの制御を行うことにより、ホワイトバランスゲインがゲイン目標値に到達するまでの時間を短縮することができる。
【００１４】
また、本発明の映像信号処理装置では、前記撮像手段のシャッター時間は、前記撮像手段から得られる映像信号の輝度レベルに応じて設定されており、前記検出手段は、前記輝度レベルの変化幅が所定のしきい輝度レベル変化よりも大きい場合に、前記撮像手段から得られる映像信号の輝度レベルの所定幅変化を検出する輝度レベル検出手段を備えており、前記ゲイン制御手段は、前記輝度レベル検出手段により前記輝度レベルの所定幅変化が検出された場合には、前記ゲイン制御手段が前記仮ゲイン目標値を前記ホワイトバランスゲインに設定し、前記仮ゲイン目標値から前記ゲイン目標値へ近づけていくように前記ホワイトバランスゲインを制御する。
【００１５】
この構成により、光源の色温度や明るさが大きく変化して、撮像手段から得られる映像信号の輝度レベルの変化幅が所定のしきい輝度レベル変化よりも大きくなった場合には、輝度レベル検出手段により輝度レベルの所定幅変化が検出される。この場合、仮ゲイン目標値は、例えば、輝度レベルに応じて設定されたシャッター時間に応じて設定される。すなわち、撮像手段の映像信号の輝度レベルが大きくなった場合には、撮像手段のシャッター時間が短くなり、それに応じて仮ゲイン目標値は、屋外の被写体を想定して高い色温度に対応するゲイン値に設定される。一方、撮像手段の映像信号の輝度レベルが小さくなった場合には、撮像手段のシャッター時間が長くなり、それに応じて仮ゲイン目標値は、屋内の被写体を想定して低い色温度に対応するゲイン値に設定される。これにより、シャッター時間に応じて設定される仮ゲイン目標値と、入射光量に基づいて算出されるゲイン目標値とのずれを小さくすることができる。このように、光源の色温度や明るさが大きく変化した場合であっても、シャッター時間に応じた仮ゲイン目標値からゲイン目標値へ近づけていくようにホワイトバランスゲインの制御を行うことにより、ホワイトバランスゲインがゲイン目標値に到達するまでの時間を短縮することができる。
【００１６】
また、本発明の映像信号処理装置は、前記映像信号から所定の白領域に含まれる映像信号を検出し、前記白領域の映像信号に対して所定の重み付け処理をする白領域検出手段を備え、前記ゲイン制御手段は、前記重み付け処理された映像信号に基づいて前記ゲイン目標値を算出する構成を有している。
【００１７】
この構成により、撮像手段から得られた映像信号のうち、所定の白領域（白色に近い色領域）に含まれる映像信号のみを検出し、その白領域の映像信号に所定の重み付け処理を行う。そして、重み付け処理された白領域の映像信号に基づいてゲイン目標値を算出することにより、撮像手段から得られた映像信号に白領域の映像信号が少ししか含まれていない場合であっても、適正なゲイン目標値を算出することができる。これにより、ホワイトバランスゲインの制御の信頼性が向上する。
【００１８】
また、本発明の映像信号処理装置は、前記映像信号に最も多く含まれる色の割合を検出する最多色割合検出手段を備え、前記ゲイン制御手段は、前記最多色割合検出手段により検出された最多色の割合が所定の割合以上の場合には、前記ゲイン目標値に所定の制限を加える構成を有している。
【００１９】
この構成により、撮像手段から得られた映像信号に最も多く含まれる色の割合が所定の割合以上の場合には、ゲイン目標値に所定の制限を加える。従来のゲイン制御手段では、映像信号から分離された色信号を加算することにより、ゲイン目標値が算出され、その結果、映像信号に特定の色が非常に多く含まれている場合には、その色（最多色）を白色とするようにゲイン目標値が算出されてしまい、色の縮退が生じる。そのような場合に、本発明では、最多色がそれ以上白色とならないような制限をゲイン目標値に加える。これにより、撮像手段から得られた映像信号に色の偏りがある場合であっても、色の縮退を低減することができる。
【発明の効果】
【００２０】
本発明は、撮像手段への入射光量に応じた所定の仮ゲイン目標値を記憶する記憶手段と、入射光量の所定幅変化が検出された場合に、仮ゲイン目標値をホワイトバランスゲインに設定し、仮ゲイン目標値からゲイン目標値へ近づけていくように制御するゲイン制御手段とを設けることにより、ホワイトバランスゲインが安定するまでの時間を短縮することができ、ホワイトバランスゲインの制御を高速化することが可能となるという効果を有する映像信号処理装置を提供することができるものである。
【発明を実施するための最良の形態】
【００２１】
以下、本発明の実施の形態の映像信号処理装置について、図面を用いて説明する。本実施の形態では、デジタルカメラ等に用いられる映像信号処理装置の場合を例示する。この映像信号処理装置では、ＣＣＤやＣＭＯＳ等の撮像素子から得られた映像信号をコンピューターで画像処理することによってホワイトバランスの調整が行われる。
【００２２】
（第１の実施の形態）
本発明の第１の実施の形態の映像信号処理装置のブロック図を図１に示す。図１において、映像信号処理装置１は、レンズにより集光された入射光を検出して電気信号に変換する撮像素子２と、撮像素子２のシャッター時間の変化を検出するシャッター時間変化検出部３と、撮像素子２から出力されたアナログ映像信号に所定の前処理を施す前処理部４と、前処理が施されたアナログ映像信号をデジタル映像信号に変換するＡ／Ｄ変換器５と、デジタル映像信号をＲＧＢごとの色信号に分離するＲＧＢ分離部６と、ＲＧＢごとの色信号から映像信号の輝度レベルＹを検出する輝度レベル検出部７と、予め設定された所定の仮ゲイン目標値WBGr、WBGg、WBGbを記憶する記憶部８と、ＲＧＢごとの色信号を全画面についてすべて加算してゲイン目標値WBGR、WBGG、WBGBを算出しかつホワイトバランスゲインWBGAINR、WBGAING、WBGAINBをゲイン目標値WBGR、WBGG、WBGBへ近づけていくように制御するゲイン制御部９と、ＲＧＢごとの色信号にそれぞれホワイトバランスゲインWBGAINR、WBGAING、WBGAINBを乗算することによってホワイトバランスの調整を行うホワイトバランス調整部１０とを有する構成である。そして、ホワイトバランスが調整された映像信号は、カメラプロセス１１により輝度信号と色差信号に分離されて、６０フィールド／秒のＮＴＳＣ方式や５０フィールド／秒のＰＡＬ方式等の映像信号に変換される。
【００２３】
ここでは特に図示しないが、前処理部４は、撮像素子２から出力されたアナログ映像信号のリセットノイズを除去するＣＤＳ回路と、ノイズ成分が除去されたアナログ映像信号が一定の信号レベルを保持するようにアナログ映像信号の振幅調整を行うＡＧＣ回路と、振幅調整されたアナログ映像信号をＡ／Ｄ変換のためにクランプするクランプ回路とを備えている。
【００２４】
輝度レベル検出部７は、コンピューター１２によって制御されており、図２に示すように、１フィールドの画面全体の中でほぼ中央部分の領域を輝度レベル検出領域に設定し、この輝度レベル検出領域内において輝度レベルＹを算出するように構成されている。輝度レベル検出部７が輝度レベルＹを算出する場合には、ＲＧＢ分離部６から出力されたＲＧＢごとの色信号から下記の数式を用いて輝度レベルＹの算出を行う。
輝度レベルＹ＝０．１１Ｂ＋０．５９Ｇ＋０．３０Ｒ
【００２５】
図３には、現在のフィールドとひとつ前のフィールドの輝度レベルＹの算出結果が示される。このように、輝度レベル検出部７では、現在のフィールドの輝度レベルＹとひとつ前のフィールドの輝度レベルＹが算出され、さらに輝度レベルの変化幅ΔＹが算出される。図３に示した場合では、現在のフィールドの輝度レベルＹが６０であり、ひとつ前のフィールドの輝度レベルＹが１８０であるため、輝度レベルの変化幅ΔＹは１２０である。そして、輝度レベル検出部７は、輝度レベルの変化幅ΔＹが所定のしきい輝度レベル変化ΔＹｓよりも大きい場合には、輝度レベルＹの所定幅変化を検出し、ゲイン制御部９およびコンピューター１２に検出信号を出力するように構成されている。
【００２６】
ＣＣＤやＣＭＯＳ等の撮像素子２は、撮像素子駆動部１３によって駆動されている。この場合、撮像素子駆動部１３は、コンピューター１２からの制御信号によって制御されており、撮像素子２のシャッター時間を１フィールドの画面全体の映像信号の輝度レベルＹに応じて設定するように制御されている。例えば、映像信号の輝度レベルＹが標準輝度領域（１００≦Ｙ＜３００の領域）である場合には、シャッター時間は１／６０秒に設定される。そして、輝度レベルの変化幅ΔＹが所定のしきい輝度レベル変化ΔＹｓよりも大きく、かつ、映像信号の輝度レベルＹが低輝度領域（Ｙ＜１００の領域）である場合には、光源の明るさが暗いと想定されるため、シャッター時間は１／３０秒に設定される。一方、輝度レベルの変化幅ΔＹが所定のしきい輝度レベル変化ΔＹｓよりも大きく、かつ、映像信号の輝度レベルＹが高輝度領域（Ｙ≧３００の領域）である場合には、光源の明るさが明るいと想定されるため、シャッター時間は１／１２０秒に設定される（図３および図４参照）。そして、撮像素子駆動部１３が、撮像素子２のシャッター時間を１／３０秒または１／１２０秒に設定変更した場合には、シャッター時間変化検出部３がシャッター時間の変化を検出し、ゲイン制御部９およびコンピューター１２に検出信号を出力するように構成されている。
【００２７】
記憶部８に記憶されている仮ゲイン目標値WBGr、WBGg、WBGbは、上記の撮像素子２のシャッター時間に応じて設定されている。例えば、図４に示すように、撮像素子２のシャッター時間が１／６０秒である場合には、ＲＧＢごとの仮ゲイン目標値WBGr、WBGg、WBGbは、それぞれ通常の色温度に対応するホワイトバランスゲインWBGAINR＝１．０、WBGAING＝１．０、WBGAINB＝１．０に設定されている。そして、撮像素子２のシャッター時間が１／３０秒と長い時間に変更された場合には、光源の明るさが暗く、光源が屋内の白熱電球であると想定されるため、ＲＧＢごとの仮ゲイン目標値WBGr、WBGg、WBGbは、それぞれ白熱電球に対応する色温度のホワイトバランスゲインWBGAINR＝０．７５、WBGAING＝１．０、WBGAINB＝１．２５に設定されている。一方、撮像素子２のシャッター時間が１／１２０秒と短い時間に変更された場合には、光源の明るさが明るく、光源が屋外の太陽光であると想定されるため、ＲＧＢごとの仮ゲイン目標値WBGr、WBGg、WBGbは、それぞれ晴天時の太陽光に対応する色温度のホワイトバランスゲインWBGAINR＝１．２５、WBGAING＝１．０、WBGAINB＝０．７５に設定されている。
【００２８】
ゲイン制御部９は、コンピューター１２によって制御されており、ホワイトバランスの調整に用いるホワイトバランスゲインWBGAINR、WBGAING、WBGAINBを１フィールドごとに決定し、ホワイトバランス調整部１０へ出力するように構成されている。ゲイン制御部９では、ＲＧＢ分離部６から得られたＲＧＢごとの色信号を全画面についてすべて加算することにより、ＲＧＢごとのゲイン目標値WBGR、WBGG、WBGBが下記の式１〜式３に基づいて算出される。
WBGR＝ΣＧ／ΣＲ          （式１）
WBGG＝ΣＧ／ΣＧ＝１      （式２）
WBGB＝ΣＧ／ΣＢ          （式３）
【００２９】
また、ゲイン制御部９は、図５に示すように、ホワイトバランス調整部１０へ出力するホワイトバランスゲインWBGAINR、WBGAING、WBGAINBを、１フィールドごとに一定の変化割合で上記のゲイン目標値WBGR、WBGG、WBGBへ近づけていくように、コンピューター１２で制御されている。通常の場合、すなわち、輝度レベル検出部７で輝度レベルＹの所定幅変化が検出されず、シャッター時間が１／６０秒から設定変更されず、シャッター時間変化検出部３でシャッター時間の変化が検出されなかった場合には、図５において破線で示すように、ゲイン制御部９では、通常の色温度に対応するホワイトバランスゲイン（WBGAINR＝１．０、WBGAING＝１．０、WBGAINB＝１．０）から一定の変化割合で上記のゲイン目標値WBGR、WBGG、WBGBへ近づけていく制御が行われる。そして、輝度レベル検出部７で輝度レベルＹの所定幅変化が検出されて、シャッター時間が１／３０秒に変更され、シャッター時間変化検出部３でシャッター時間の変化が検出された場合には、ゲイン制御部９は、白熱電球に対応する色温度のホワイトバランスゲイン（WBGAINR＝０．７５、WBGAING＝１．０、WBGAINB＝１．２５）に設定された仮ゲイン目標値WBGr、WBGg、WBGbを記憶部８から取得する。そして、ゲイン制御部９では、図５において実線で示すように、その仮ゲイン目標値WBGr、WBGg、WBGbをホワイトバランスゲインWBGAINR、WBGAING、WBGAINBに設定し、その仮ゲイン目標値WBGr、WBGg、WBGbから一定の変化割合で上記のゲイン目標値WBGR、WBGG、WBGBへ近づけていく制御が行われる。一方、輝度レベル検出部７で輝度レベルＹの所定幅変化が検出されて、シャッター時間が１／１２０秒に変更され、シャッター時間変化検出部３でシャッター時間の変化が検出された場合には、ゲイン制御部９は、晴天時の太陽光に対応する色温度のホワイトバランスゲイン（WBGAINR＝１．２５、WBGAING＝１．０、WBGAINB＝０．７５）に設定された仮ゲイン目標値WBGr、WBGg、WBGbを記憶部８から取得する。そして、ゲイン制御部９では、その仮ゲイン目標値WBGr、WBGg、WBGbをホワイトバランスゲインWBGAINR、WBGAING、WBGAINBに設定し、その仮ゲイン目標値WBGr、WBGg、WBGbから一定の変化割合で上記のゲイン目標値WBGR、WBGG、WBGBへ近づけていく制御が行われる。
【００３０】
以上のように構成された映像信号処理装置１について、その動作を説明する。
【００３１】
本発明の第１の実施の形態の映像信号処理装置１を備えたデジタルカメラを用いて、通常の映像撮影を行う場合、すなわち、色温度や明るさの変化が少ない光源のもとで映像撮影を行う場合には、撮像素子２から得られる映像信号の輝度レベルＹの変化が小さい。したがって、輝度レベル検出部７で算出される輝度レベルの変化幅ΔＹは所定のしきい輝度レベルΔＹｓよりも小さく、輝度レベル検出部７は輝度レベルＹの所定幅変化を検出しない（図３参照）。この場合、撮像素子駆動部１３は、撮像素子２のシャッター時間を１／６０秒に設定したまま変更しない。したがって、シャッター時間変化検出部３はシャッター時間の変化を検出せず、ゲイン制御部９およびコンピューター１２に検出信号を出力しない。
【００３２】
ゲイン制御部９は、ＲＧＢ分離部６から得られたＲＧＢごとの色信号を全画面についてすべて加算して、ゲイン目標値WBGR、WBGG、WBGBを算出する。この場合、輝度レベル検出部７が輝度レベルＹの所定幅変化を検出していないので、ゲイン制御部９およびコンピューター１２に検出信号を出力しない。ゲイン制御部９はシャッター時間変化検出部３や輝度レベル検出部７から検出信号を受けとっていない。したがって、ゲイン制御部９は、ホワイトバランス調整部１０へ出力するホワイトバランスゲインWBGAINR、WBGAING、WBGAINBを、通常の色温度に対応するホワイトバランスゲイン（WBGAINR＝１．０、WBGAING＝１．０、WBGAINB＝１．０）に設定し、そのホワイトバランスゲインWBGAINR、WBGAING、WBGAINBから一定の変化割合でゲイン目標値WBGR、WBGG、WBGBへ近づけていく制御を行う。
【００３３】
次に、被写体が白熱電球照明の室内から晴天時の屋外へ急に移動した場合や、撮像素子２の電源をオフからオンにした場合など、光源の色温度が大きく変化して明るさが急に明るくなった場合の映像信号処理装置１の動作について説明する。
【００３４】
この場合、撮像素子２から得られる映像信号の輝度レベルＹは、ひとつ前のフレームの輝度レベルＹに比べて急に大きくなる。したがって、輝度レベル検出部７で算出される輝度レベルの変化幅ΔＹが所定のしきい輝度レベルΔＹｓよりも大きくなり、輝度レベル検出部７は輝度レベルＹの所定幅変化を検出する（図３参照）。輝度レベルＹの所定幅変化を検出した輝度レベル検出部７は、ゲイン制御部９およびコンピューター１２に検出信号を出力する。
【００３５】
輝度レベル検出部７から検出信号を受けとったコンピューター１２は、撮像素子駆動部１３に制御信号を送る。この場合、輝度レベルの変化幅ΔＹが所定のしきい輝度レベル変化ΔＹｓよりも大きく、かつ、映像信号の輝度レベルＹが高輝度領域（Ｙ≧３００の領域）であるので、撮像素子駆動部１３は、撮像素子２のシャッター時間を１／１２０秒に設定する。そして、シャッター時間変化検出部３はシャッター時間の変化を検出して、ゲイン制御部９およびコンピューター１２に検出信号を出力する。
【００３６】
この場合、シャッター時間変化検出部３および輝度レベル検出部７から検出信号を受けとったコンピューター１２は、１／１２０秒というシャッター時間に応じた仮ゲイン目標値WBGr、WBGg、WBGb（すなわち、晴天時の太陽光に対応する色温度のホワイトバランスゲインWBGAINR＝１．２５、WBGAING＝１．０、WBGAINB＝０．７５）を記憶部８からゲイン制御部９へ出力させる。また、シャッター時間変化検出部３および輝度レベル検出部７から検出信号を受けとったコンピューター１２は、ゲイン制御部９に制御信号を送る。そして、この制御信号を受けたゲイン制御部９は、ホワイトバランス調整部１０へ出力するホワイトバランスゲインWBGAINR、WBGAING、WBGAINBを、この仮ゲイン目標値WBGr、WBGg、WBGb（すなわち、晴天時の太陽光に対応する色温度のホワイトバランスゲインWBGAINR＝１．２５、WBGAING＝１．０、WBGAINB＝０．７５）に設定し、この仮ゲイン目標値WBGr、WBGg、WBGbから一定の変化割合でゲイン目標値WBGR、WBGG、WBGBへ近づけていく制御を行う（図５参照）。
【００３７】
次に、被写体が晴天時の屋外から白熱電球照明の室内へ急に移動した場合など、光源の色温度が大きく変化して明るさが急に暗くなった場合の映像信号処理装置１の動作について説明する。
【００３８】
この場合、撮像素子２から得られる映像信号の輝度レベルＹは、ひとつ前のフレームの輝度レベルＹに比べて急に小さくなる。したがって、輝度レベル検出部７で算出される輝度レベルの変化幅ΔＹが所定のしきい輝度レベルΔＹｓよりも大きくなり、輝度レベル検出部７は輝度レベルＹの所定幅変化を検出する（図３参照）。輝度レベルＹの所定幅変化を検出した輝度レベル検出部７は、ゲイン制御部９およびコンピューター１２に検出信号を出力する。
【００３９】
輝度レベル検出部７から検出信号を受けとったコンピューター１２は、撮像素子駆動部１３に制御信号を送る。この場合、輝度レベルの変化幅ΔＹが所定のしきい輝度レベル変化ΔＹｓよりも大きく、かつ、映像信号の輝度レベルＹが低輝度領域（Ｙ＜１００の領域）であるので、撮像素子駆動部１３は、撮像素子２のシャッター時間を１／３０秒に設定する。そして、シャッター時間変化検出部３はシャッター時間の変化を検出して、ゲイン制御部９およびコンピューター１２に検出信号を出力する。
【００４０】
この場合、シャッター時間変化検出部３および輝度レベル検出部７から検出信号を受けとったコンピューター１２は、１／３０秒というシャッター時間に応じた仮ゲイン目標値WBGr、WBGg、WBGb（すなわち、白熱電球に対応する色温度のホワイトバランスゲインWBGAINR＝０．７５、WBGAING＝１．０、WBGAINB＝１．２５）を記憶部８からゲイン制御部９へ出力させる。また、シャッター時間変化検出部３および輝度レベル検出部７から検出信号を受けとったコンピューター１２は、ゲイン制御部９に制御信号を送る。そして、この制御信号を受けたゲイン制御部９は、ホワイトバランス調整部１０へ出力するホワイトバランスゲインWBGAINR、WBGAING、WBGAINBを、この仮ゲイン目標値WBGr、WBGg、WBGb（すなわち、白熱電球に対応する色温度のホワイトバランスゲインWBGAINR＝０．７５、WBGAING＝１．０、WBGAINB＝１．２５）に設定し、この仮ゲイン目標値WBGr、WBGg、WBGbから、１フィールドごとに一定の変化割合でゲイン目標値WBGR、WBGG、WBGBへ近づけていく制御を行う（図５参照）。
【００４１】
ホワイトバランス調整部１０は、上記のようにして制御されたホワイトバランスゲインWBGAINR、WBGAING、WBGAINBを、ＲＧＢ分離部６から得られたＲＧＢごとの色信号にそれぞれ乗算して、ホワイトバランスの調整を行う。そして、カメラプロセス１１は、このようにしてホワイトバランスが調整された映像信号を、輝度信号と色差信号に分離して、ＮＴＳＣ方式やＰＡＬ方式等の映像信号に変換する。
【００４２】
このような発明の第１の実施の形態の映像信号処理装置１によれば、ゲイン制御部９と輝度レベル検出部７と記憶部８を設けることにより、光源の色温度や明るさが大きく変化して、撮像素子２から得られる映像信号の輝度レベルの変化幅ΔＹが所定のしきい輝度レベル変化ΔＹｓより大きくなった場合には、輝度レベル検出部７により輝度レベルＹの所定幅変化が検出され、シャッター時間が変更されて、そのシャッター時間の変化がシャッター時間変化検出部３により検出される。その場合には、ゲイン制御部９により仮ゲイン目標値WBGr、WBGg、WBGbがホワイトバランスゲインWBGAINR、WBGAING、WBGAINBに設定される。この仮ゲイン目標値WBGr、WBGg、WBGbは、撮像素子２から得られる映像信号の輝度レベルＹに応じて設定されるシャッター時間に応じて設定されているので、撮像素子２から得られるＲＧＢごとの色信号を全画面について上述の式１〜式３に基づいて算出されるゲイン目標値WBGR、WBGG、WBGBとのずれが小さい。
【００４３】
例えば、本実施の形態では、撮像素子２の映像信号の輝度レベルＹが大きくなった場合には、それに応じて撮像素子２のシャッター時間は短くなる。そして、短いシャッター時間に応じて仮ゲイン目標値WBGr、WBGg、WBGbは、晴天時の太陽光に対応する色温度のホワイトバランスゲインWBGAINR＝１．２５、WBGAING＝１．０、WBGAINB＝０．７５に設定される。一方、撮像素子２の映像信号の輝度レベルＹが小さくなった場合には、それに応じて撮像素子２のシャッター時間が長くなる。そして、長いシャッター時間に応じて仮ゲイン目標値WBGr、WBGg、WBGbは白熱電球に対応する色温度のホワイトバランスゲインWBGAINR＝０．７５、WBGAING＝１．０、WBGAINB＝１．２５に設定される。このようにして、シャッター時間に応じて設定される仮ゲイン目標値WBGr、WBGg、WBGbと、入射光量に基づいて算出されるゲイン目標値WBGR、WBGG、WBGBとのずれを小さくすることができる。
【００４４】
光源の色温度や明るさが大きく変化した場合には、通常であれば、ホワイトバランスゲインWBGAINR、WBGAING、WBGAINBとゲイン目標値WBGR、WBGG、WBGBとのずれが大きくなる。しかし、そのような場合であっても、ゲイン制御部９において、図５に示すように、ホワイトバランスゲインWBGAINR、WBGAING、WBGAINBを、仮ゲイン目標値WBGr、WBGg、WBGbからゲイン目標値WBGR、WBGG、WBGBへ近づけていく制御が行われるので、ホワイトバランスゲインWBGAINR、WBGAING、WBGAINBがゲイン目標値WBGR、WBGG、WBGBに到達するまでの時間をΔＴだけ短縮することができる。したがって、ホワイトバランスゲインWBGAINR、WBGAING、WBGAINBが安定するまでの時間を短縮することができ、ホワイトバランスゲインWBGAINR、WBGAING、WBGAINBの制御を高速化することが可能となる。
【００４５】
（第２の実施の形態）
次に、本発明の第２の実施の形態の映像信号処理装置１のブロック図を図６に示す。本実施の形態の映像信号処理装置１は、前実施の形態の映像信号処理装置１に白領域検出部１４がさらに追加された構成とされている。ここでは、本実施の形態で追加された白領域検出部１４に関する構成を中心に説明することとし、前実施の形態と同様の構成については説明を省略する。
【００４６】
図６に示すように、白領域検出部１４は、コンピューター１２によって制御されており、ＲＧＢ分離部６から出力されたＲＧＢごとの色信号から所定の白領域に含まれる映像信号を検出する。ここでは、所定の白領域（白色に近い色領域）として、図７に示すように、１００％白色の領域とみなす１００％白領域、８０％白色の領域とみなす８０％白領域、６０％白色の領域とみなす６０％白領域が設定されている。
【００４７】
そして、白領域検出部１４は、上記の所定の白領域に対して、所定の重み付け処理を行う。ここでは、１００％白領域のＲＧＢごとの色信号をそれぞれＲ100、Ｇ100、Ｂ100とし、８０％白領域のＲＧＢごとの色信号をそれぞれＲ80、Ｇ80、Ｂ80とし、６０％白領域のＲＧＢごとの色信号をそれぞれＲ60、Ｇ60、Ｂ60として、下記の数式を用いて所定の重み付け処理が行われる。
Ｒ100＝Ｒ×１．０、Ｇ100＝Ｇ×１．０、Ｇ100＝Ｇ×１．０
Ｒ80＝Ｒ×０．８、Ｇ80＝Ｇ×０．８、Ｇ80＝Ｇ×０．８
Ｒ60＝Ｒ×０．６、Ｇ60＝Ｇ×０．６、Ｇ60＝Ｇ×０．６
【００４８】
このように白領域検出部１４で検出されて重み付け処理された所定の白領域の色信号は、ゲイン制御部９へ出力される。そして、ゲイン制御部９では、下記の数式を用いることにより、上記の所定の白領域の色信号のみに基づいて、ＲＧＢごとのゲイン目標値WBGR、WBGG、WBGBが算出される。
WBGR＝（ΣＧ100＋ΣＧ80＋ΣＧ60）／（ΣＲ100＋ΣＲ80＋ΣＲ60）
WBGG＝（ΣＧ100＋ΣＧ80＋ΣＧ60）／（ΣＧ100＋ΣＧ80＋ΣＧ60）＝１
WBGB＝（ΣＧ100＋ΣＧ80＋ΣＧ60）／（ΣＢ100＋ΣＢ80＋ΣＢ60）
【００４９】
以上のように構成された映像信号処理装置１について、その動作を説明する。ここでは、本実施の形態で追加された白領域検出部１４の動作を中心に説明することとし、前実施の形態と同様の動作については説明を省略する。
【００５０】
本発明の第２の実施の形態の映像信号処理装置１を備えたデジタルカメラを用いて、映像撮影を行う場合には、白領域検出部１４が、撮像素子２から得られた映像信号のうちの所定の白領域（１００％白領域、８０％白領域、６０％白領域）を検出し、その白領域の映像信号に所定の重み付け処理を行う。
【００５１】
そして、ゲイン制御部９は、その白領域（１００％白領域、８０％白領域、６０％白領域）の色信号のみに基づいて、ＲＧＢごとのゲイン目標値WBGR、WBGG、WBGBを算出して、ホワイトバランスゲインWBGAINR、WBGAING、WBGAINBを、このゲイン目標値WBGR、WBGG、WBGBへ近づくように制御する。
【００５２】
このような発明の第２の実施の形態の映像信号処理装置１によれば、白領域検出部１４を設けることにより、撮像素子２から得られた映像信号のうち、所定の白領域（１００％白領域、８０％白領域、６０％白領域）に含まれる映像信号のみを検出し、その白領域の映像信号に所定の重み付け処理を行う。そして、重み付け処理された白領域の映像信号に基づいてＲＧＢごとのゲイン目標値WBGR、WBGG、WBGBを算出することにより、撮像素子２から得られた映像信号に白領域の映像信号が少ししか含まれていない場合であっても、適正なゲイン目標値WBGR、WBGG、WBGBを算出することができる。これにより、ホワイトバランスゲインWBGAINR、WBGAING、WBGAINBの制御の信頼性が向上する。
【００５３】
（第３の実施の形態）
次に、本発明の第３の実施の形態の映像信号処理装置１のブロック図を図８に示す。本実施の形態の映像信号処理装置１は、前実施の形態の映像信号処理装置１に最多色割合検出部１５がさらに追加された構成とされている。ここでは、本実施の形態で追加された最多色割合検出部１５に関する構成を中心に説明することとし、前実施の形態と同様の構成については説明を省略する。
【００５４】
図８に示すように、最多色割合検出部１５は、コンピューター１２によって制御されており、ＲＧＢ分離部６から出力されたＲＧＢごとの色信号から、１フィールドの画面中において最も多く含まれる色（例えば青色）の画素の割合を検出するように構成されている。そして、最多色割合検出部１５によって検出された最多色（例えば青色）の画素の割合が所定の割合（例えば８０％）以上であった場合には、最多色割合検出部１５からゲイン制御部９へ検出信号が送られる。
【００５５】
この検出信号を受けたゲイン制御部９では、ゲイン目標値WBGR、WBGG、WBGBを算出する場合に、所定の制限を加えるように構成されている。すなわち、１フィールドの画面中における特定の色（例えば青色）の画素の割合が所定の割合（例えば８０％）以上であった場合に、仮に通常どおり、ＲＧＢ分離部６から得られたＲＧＢごとの色信号を全画面についてすべて加算して、ＲＧＢごとの本来のゲイン目標値WBGR、WBGG、WBGBを算出すると、図１０に示すように、ホワイトバランスを調整した結果、その特定の色（青色）が縮退して白色に近い色になってしまう。それに対して、本実施の形態では、ゲイン目標値WBGR、WBGG、WBGBに所定の制限を加える。例えば、図９に示すように、本来のゲイン目標値WBGR、WBGG、WBGBにそれ以上近づかないように制限が加えられ、その制限されたゲイン目標値WBGR、WBGG、WBGBへ近づくようにホワイトバランスゲインWBGAINR、WBGAING、WBGAINBが制御される。これにより、図１０に示すように、その特定の色（青色）が、ホワイトバランスを調整した結果、ある制限領域より白色に近づかないように制限されている。
【００５６】
以上のように構成された映像信号処理装置１について、その動作を説明する。ここでは、本実施の形態で追加された最多色割合検出部１５の動作を中心に説明することとし、前実施の形態と同様の動作については説明を省略する。
【００５７】
本発明の第３の実施の形態の映像信号処理装置１を備えたデジタルカメラを用いて、映像撮影を行う場合には、最多色割合検出部１５が、撮像素子２から得られた映像信号のうち、１フィールドの画面中で最も多く含まれる色（例えば青色）の画素の割合を検出する。そして、最多色割合検出部１５は、その最多色（例えば青色）の画素の割合が所定の割合（例えば８０％）以上であった場合には、ゲイン制御部９へ検出信号を送る。
【００５８】
この検出信号を受けたゲイン制御部９は、ゲイン目標値WBGR、WBGG、WBGBを算出する場合に、所定の制限を加える。例えば、図９に示すように、本来のゲイン目標値WBGR、WBGG、WBGBにそれ以上近づかないように制限を加える。そして、ゲイン制御部９は、ホワイトバランスゲインWBGAINR、WBGAING、WBGAINBを、仮ゲイン目標値WBGr、WBGg、WBGbから上記のように制限されたゲイン目標値WBGR、WBGG、WBGBへ近づくように制御する。
【００５９】
ホワイトバランス調整部１０は、第１の実施の形態と同様、上記のように制御されたホワイトバランスゲインWBGAINR、WBGAING、WBGAINBを、ＲＧＢ分離部６から得られたＲＧＢごとの色信号にそれぞれ乗算して、ホワイトバランスの調整を行う。
【００６０】
このような発明の第３の実施の形態の映像信号処理装置１によれば、最多色割合検出部１５を設けることにより、撮像素子２から得られた映像信号に最も多く含まれる色（例えば青色）の割合が所定の割合（例えば８０％）以上の場合には、ゲイン目標値WBGR、WBGG、WBGBに所定の制限を加える。例えば、本来のゲイン目標値WBGR、WBGG、WBGBにそれ以上近づかないように制限を加える。これにより、ホワイトバランスを調整した結果、その最多色（例えば青色）がそれ以上白色に近づくことが制限される。したがって、撮像素子２から得られた映像信号に色の偏りがある場合であっても、色の縮退を低減することができる。
【００６１】
以上、本発明の実施の形態を例示により説明したが、本発明の範囲はこれらに限定されるものではなく、請求項に記載された範囲内において目的に応じて変更・変形することが可能である。
【００６２】
例えば、以上の説明では、撮像素子２の入射光量に応じて仮ゲイン目標値WBGr、WBGg、WBGbを設定する例として、撮像素子２のシャッター時間や、撮像素子２から得られる映像信号の輝度レベルＹに応じて仮ゲイン目標値WBGr、WBGg、WBGbを設定する場合を例示して説明したが、その他、デジタルカメラの絞り量やフィルターの種類に応じて仮ゲイン目標値WBGr、WBGg、WBGbを設定する場合も、同様に実施可能である。
【００６３】
また、以上の説明では、ゲイン制御部９は、シャッター時間変化検出部３によりシャッター時間の変化が検出され、輝度レベル検出部７により輝度レベルの所定幅変化が検出された場合に、仮ゲイン目標値WBGr、WBGg、WBGbをホワイトバランスゲインWBGAINR、WBGAING、WBGAINBに設定する例について説明した。それ以外、ゲイン制御部９は、シャッター時間変化検出部３によりシャッター時間の変化が検出された場合に、仮ゲイン目標値WBGr、WBGg、WBGbをホワイトバランスゲインWBGAINR、WBGAING、WBGAINBに設定してもよい。また、ゲイン制御部９は、輝度レベル検出部７により輝度レベルの所定幅変化が検出された場合に、仮ゲイン目標値WBGr、WBGg、WBGbをホワイトバランスゲインWBGAINR、WBGAING、WBGAINBに設定してもよい。
【００６４】
また、以上の説明では、１フィールドの画面全体の輝度レベルＹの大きさに応じて撮像素子２のシャッター時間が設定され、そのシャッター時間に応じて仮ゲイン目標値WBGr、WBGg、WBGbが設定される例について説明したが、その他、１フィールドの画面中の中で高輝度領域の画素が占める割合に応じて撮像素子２のシャッター時間を設定し、そのシャッター時間に応じて仮ゲイン目標値WBGr、WBGg、WBGbを設定しても、同様に実施可能である。その場合、例えば、１フィールドの画面中の中で高輝度領域の画素が占める割合が所定の割合よりも多い場合には、シャッター時間を短く設定し、１フィールドの画面中の中で高輝度領域の画素が占める割合が所定の割合よりも少ない場合には、シャッター時間を長く設定する。
【００６５】
また、以上の説明では、輝度レベル検出部７により輝度レベルＹの所定幅変化を検出した場合にシャッター時間を変更し、シャッター時間が変化した場合に、仮ゲイン目標値WBGr、WBGg、WBGbをホワイトバランスゲインWBGAINR、WBGAING、WBGAINBに設定する例について説明した。それ以外、検出手段によりシャッター時間の変化を直接検出し、シャッター時間が変化した場合に、仮ゲイン目標値WBGr、WBGg、WBGbをホワイトバランスゲインWBGAINR、WBGAING、WBGAINBに設定しても、同様に実施可能である。その場合、映像信号の輝度レベルＹとは独立にシャッター時間が設定されていてもよい。例えば、シャッター時間がマニュアル操作によって設定変更される場合であっても、そのシャッター時間に応じて仮ゲイン目標値WBGr、WBGg、WBGbが設定されるため、同様に実施可能である。
【００６６】
その他、電源をオフにした場合に、そのとき使用していたシャッター時間をメモリーに記憶しておき、電源をオンに切り替えた場合に、そのシャッター時間をメモリーから読み出して使用するデジタルカメラがある。このようなデジタルカメラに本発明にかかる映像信号処理装置を適用すれば、電源をオンに切り替えたときに、そのシャッター時間に応じた仮ゲイン目標値をホワイトバランスゲインに設定し、仮ゲイン目標値からゲイン目標値へ近づけていくように、ゲイン制御部がホワイトバランスを制御する。これにより、電源をオンにしてからホワイトバランスゲインが安定するまでの時間を短縮することができる。
【産業上の利用可能性】
【００６７】
以上のように、本発明にかかる映像信号処理装置は、ホワイトバランスゲインが安定するまでの時間を短縮することができ、ホワイトバランスゲインの制御を高速化することが可能となるという効果を有し、デジタルカメラ等に用いられる映像信号処理装置等として有用である。
【図面の簡単な説明】
【００６８】
【図１】本発明の第１の実施の形態における映像信号処理装置のブロック図
【図２】画面全体に占める輝度レベル検出領域を示す説明図
【図３】輝度レベル検出部において輝度レベルを検出する様子を示す説明図
【図４】記憶部に記憶される仮ゲイン目標値とシャッター時間との関係を示す説明図
【図５】ゲイン制御部において、ホワイトバランスゲインをゲイン目標値へ近づけていくように制御する様子を示す説明図
【図６】本発明の第２の実施の形態における映像信号処理装置のブロック図
【図７】白領域検出部において検出する所定の白領域（１００％白領域、８０％白領域、６０％白領域）の説明図
【図８】本発明の第３の実施の形態における映像信号処理装置のブロック図
【図９】ゲイン制御部において、制限を加えたゲイン目標値を用いてホワイトバランスゲインを制御する様子を示す説明図
【図１０】ゲイン制御部においてゲイン目標値に所定の制限が加えられた様子を示す説明図
【符号の説明】
【００６９】
１  映像信号処理装置
２  撮像素子
３  シャッター時間変化検出部
７  輝度レベル検出部
８  記憶部
９  ゲイン制御部
１０  ホワイトバランス調整部
１２  コンピューター
１４  白領域検出部
１５  最多色割合検出部
Ｙ  輝度レベル
ΔＹ  輝度レベルの変化幅
ΔＹｓ  しきい輝度レベル変化
WBGr、WBGg、WBGb  仮ゲイン目標値
WBGR、WBGG、WBGB  ゲイン目標値
WBGAINR、WBGAING、WBGAINB  ホワイトバランスゲイン
【図１】
2007020020.tif 000003
【図２】
2007020020.tif 000004
【図３】
2007020020.tif 000005
【図４】
2007020020.tif 000006
【図５】
2007020020.tif 000007
【図６】
2007020020.tif 000008
【図７】
2007020020.tif 000009
【図８】
2007020020.tif 000010
【図９】
2007020020.tif 000011
【図１０】
2007020020.tif 000012